(57)【特許請求の範囲】
【請求項１】
一方を移動させる操作に応じて他方も連動して移動する第１の画像と第２の画像とを含む画面を表示し、
前記第２の画像を移動させる操作入力に応じて前記第２の画像と連動して移動する前記第１の画像の画面上における位置に基づいて認証を行い、
前記画面は、画像の移動先のターゲットを示す表示を含み、
前記第２の画像を移動させる操作入力に応じて前記第２の画像と連動して移動する前記第１の画像が前記ターゲットに対応する位置に移動された場合に、認証成功と判定する、
処理をコンピュータに実行させることを特徴とする認証プログラム。
【請求項２】
一方を移動させる操作に応じて他方も連動して移動する第１の画像と第２の画像とを含む画面を表示し、
前記第２の画像を移動させる操作入力に応じて前記第２の画像と連動して移動する前記第１の画像の画面上における位置に基づいて認証を行い、
連動して移動する際の前記第１の画像と前記第２の画像の移動方向と移動量は同じである、
処理をコンピュータに実行させることを特徴とする認証プログラム。
【請求項３】
一方を移動させる操作に応じて他方も連動して移動する第１の画像と第２の画像とを含む画面を表示し、
前記第２の画像を移動させる操作入力に応じて前記第２の画像と連動して移動する前記第１の画像の画面上における位置に基づいて認証を行い、
前記第１の画像を移動させる操作入力がなされた場合、認証失敗と判定する、
処理をコンピュータに実行させることを特徴とする認証プログラム。
【請求項４】
認証処理成功後、または、認証失敗後の次の認証処理において、前記第１の画像と前記第２の画像の少なくとも一方の配置位置を変更する、処理をコンピュータに実行させることを特徴とする請求項１〜３のいずれかに記載の認証プログラム。
【請求項５】
一方を移動させる操作に応じて他方も連動して移動する第１の画像と第２の画像とを含む画面を表示し、
前記第２の画像を移動させる操作入力に応じて前記第２の画像と連動して移動する前記第１の画像の画面上における位置に基づいて認証を行い、
前記画面は、画像の移動先のターゲットを示す表示を含み、
前記第２の画像を移動させる操作入力に応じて前記第２の画像と連動して移動する前記第１の画像が前記ターゲットに対応する位置に移動された場合に、認証成功と判定する、
処理をコンピュータが実行することを特徴とする認証方法。
【請求項６】
一方を移動させる操作に応じて他方も連動して移動する第１の画像と第２の画像とを含む画面を表示する表示部と、
前記第２の画像を移動させる操作入力に応じて前記第２の画像と連動して移動する前記第１の画像の画面上における位置に基づいて認証を行う判定部と、
を有し、
前記画面は、画像の移動先のターゲットを示す表示を含み、
前記第２の画像を移動させる操作入力に応じて前記第２の画像と連動して移動する前記第１の画像が前記ターゲットに対応する位置に移動された場合に、認証成功と判定する、
ことを特徴とする情報処理端末。
【発明の詳細な説明】
【技術分野】
【０００１】
本発明は認証プログラム、認証方法及び情報処理端末に関する。
【背景技術】
【０００２】
近年、スマートフォンなどにおいてパスワード入力や所定の操作をユーザに行わせることで認証処理を行う技術が普及している。また、金融機関のＡＴＭ（Automatic Teller Machine）端末におけるユーザ認証や、パソコンにおけるユーザ認証においても同様にパスワード等の入力による認証方法が用いられる。
【０００３】
例えば、画面に表示された情報に対して、ユーザの操作内容を操作情報として記憶し、記憶した情報とユーザの操作を比較して認証処理を行う方法がある。
【先行技術文献】
【特許文献】
【０００４】
【特許文献１】特開２００７−２６４９２９
【発明の概要】
【発明が解決しようとする課題】
【０００５】
しかし、従来の認証方法においては、背後から画面を盗み見されていた場合、認証処理に関する認証情報が漏えいするリスクがある。
【０００６】
そこで、本発明は、認証処理に関する認証情報の漏えいを抑制することを目的とする。
【課題を解決するための手段】
【０００７】
一方を移動させる操作に応じて他方も連動して移動する第１の画像と第２の画像とを含む画面を表示し、第２の画像を移動させる操作入力に応じて第２の画像と連動して移動する第１の画像の画面上における位置に基づいて認証を行う。
【発明の効果】
【０００８】
認証処理に関する認証情報の漏えいを防ぐことができる。
【図面の簡単な説明】
【０００９】
【図１】第１の実施形態に係る認証処理を行う情報処理端末の構成例を示す図である。
【図２】第１の実施形態における認証を行う際の処理フローの例を示す図である。
【図３】第１の実施形態において、認証画面に表示したスライド用画像の操作を検出し、認証を成功であると判定する際の表示例を示す図である。
【図４】第１の実施形態において、認証画面に表示された認証用画像を操作し、認証が失敗する際の表示例を示す図である。
【図５】第１の実施形態において、認証画面に表示されたダミー画像を操作し、認証が失敗する際の表示例を示す図である。
【図６】第２の実施形態に係る認証処理を行う情報処理端末の構成例を示す図である。
【図７】第２の実施形態における認証を行う際の処理フローの例を示す図である。
【図８】第２の実施形態において、認証画面に表示されたダミー画像を操作し、認証が成功する際の表示例を示す図である。
【発明を実施するための最良の形態】
【００１０】
以下、図面を参照して、本発明の実施形態について説明する。
【００１１】
図１は、第１の実施形態に係る認証処理を行う情報処理端末の構成例を示す図である。
【００１２】
第１の実施形態に係る認証処理を行う情報処理端末は、記憶部１１０、制御部１２０、表示部１３０、検出部１４０、判定部１５０を有する。
【００１３】
記憶部１１０は、初期設定又はユーザの選択に応じて設定したスライド用画像を記憶するスライド用画像記憶部１１１と、初期設定又はユーザの選択に応じて設定した認証用画像を記憶する認証用画像記憶部１１２と、ダミー画像記憶部１１３を有する。スライド用画像は、認証処理を行う際、ユーザの操作を受けつけたかどうかを判定するための画像である。認証用画像は認証処理を行う際、所定の領域（認証枠）に存在するかを判定するための画像である。ダミー画像はスライド用画像とも認証用画像とも異なる画像である。
【００１４】
制御部１２０は記憶部１１０のスライド用画像記憶部１１１に記憶したスライド用画像、認証用画像記憶部１１２に記憶した認証用画像、ダミー画像記憶部１１３に記憶したダミー画像を含む、画面に表示するオブジェクトの数を制御するオブジェクト表示数制御部１２１と、オブジェクトを表示する位置を制御するオブジェクト表示位置制御部１２２と、認証処理を行う際、認証用画像を移動する所定の領域（認証枠）の表示位置を制御する認証枠表示位置制御部１２３を有する。
【００１５】
表示部１３０は、制御部１２０で決定されたオブジェクト表示数、オブジェクト表示位置、認証枠表示位置にスライド用画像、認証用画像、ダミー画像、認証枠を表示する。
【００１６】
検出部１４０は画像の操作を受け付けたかどうかを検出する画像操作検出部１４１と、認証用画像の位置を検出する認証用画像位置検出部１４２を有する。
【００１７】
判定部１５０は、認証処理を行う際に、画像操作検出部１４１で操作を受け付けた画像がスライド用画像であるかどうかを判定する画像操作判定部１５１と、認証用画像が認証枠内に存在するかどうかを判定する認証用画像位置判定部１５２を有する。
【００１８】
図２は、第１の実施形態における認証を行う際の処理フローの例を示す図、図３〜図５は認証処理において表示部１３０に表示される表示画面の例を示す図である。
【００１９】
以下、図３を参照しながら図２に示す認証処理の流れについて説明する。
【００２０】
ステップＳ２０１、Ｓ２０２は、認証処理を行う前の準備処理に対応する。初期設定されたスライド用画像、認証用画像を利用する場合はこれらの準備処理を省略することもできる。
【００２１】
図１の情報処理端末の制御部１２０は、ユーザによる設定メニューの表示操作などに応じて記憶部１１０に記憶された複数の画像をスライド用画像の選択候補として表示部１３０に表示させる。ユーザの選択操作により、スライド用画像として設定する対象の画像が選択されると、制御部１２０は、スライド用画像記憶部１１１に選択された画像をスライド用画像として記憶させる（ステップＳ２０１）。なお、情報処理端末で利用可能な画像のサムネイル画像などの選択により、スライド用画像として設定させることもできる。
【００２２】
図１の情報処理端末の制御部１２０は、ユーザによる設定メニューの表示操作などに応じて記憶部１１０に記憶された複数の画像を認証用画像の選択候補として表示部１３０に表示させる。ユーザの選択操作により、認証用画像として設定する対象の画像が選択されると、制御部１２０は、認証用画像記憶部１１２に選択された画像を認証用画像として記憶させる（ステップＳ２０２）。なお、情報処理端末で利用可能な画像のサムネイル画像などの選択により、認証用画像として設定させることもできる。
【００２３】
なお、ステップＳ２０１、Ｓ２０２の順序は逆順、同時とすることもできる。
【００２４】
次に、情報処理端末が起動されるなどして認証処理が求められる際に、制御部１２０は、記憶部１１０の記憶内容を参照して、表示部１３０に、スライド用画像、認証用画像、ダミー画像を含む画面を表示させる。ここで、スライド用画像、認証用画像は、初期設定又は、準備処理（ステップＳ２０１、２０２）で記憶部１１０に記憶されたスライド用画像記憶部１１１、認証用画像記憶部１１２に対応する。なお、ダミー画像の表示は、ダミー画像記憶部１１３に記憶されたダミー画像を用いて行われる。ダミー画像の数は、オブジェクト表示数制御部１２１の制御によって制御され、所定数の異なるダミー画像が表示部１３０に表示される。ダミー画像の表示数は、ユーザによる入力操作で指定した数などによって変更可能としてもよく、その際、ダミー画像記憶部に変更後の数が記憶される。例えば、ダミー画像の数が５と指定された場合、ダミー画像の中から５種類選択（認証処理ごとにランダムに選択してもよい）して表示部１３０に表示する（ステップＳ２０３）。
【００２５】
表示部１３０に表示されるスライド用画像、認証用画像、ダミー画像は例えば、図３（ａ）とすることができる。この例では、スライド用画像３１０は左に配置され、認証用画像３１１は上に配置されている。ダミー画像は、略円形上の他の位置に配置され、この場合、６個のダミー画像が表示されている。ダミー画像を含めた画像の表示レイアウトは、ユーザの入力操作によって変更可能（円形、四角形、台形など）としてもよい。
【００２６】
なお、この例では、更に、画像を移動させるタ―ゲット位置を明示する認証枠３１２が認証枠表示位置制御部１２３の制御により画面の中心に表示されている。認証枠３１２の位置は中心でなく他の位置でもよいが、スライド用画像の移動に連動して移動する認証用画像が表示部１３０に表示されつつ移動可能な位置とすることが好ましい。
【００２７】
さて、次に、制御部１２０は、スライド用画像、認証用画像、ダミー画像のいずれかの画像に対する移動操作の指示を受け付けたかの検出を行う（ステップＳ２０４）。例えば、この例では、表示部１３０は、タッチパネル式ディスプレイであり、ユーザのタッチ操作によりいずれかの画像についての移動操作を制御部１２０は検出する。
【００２８】
次に、判定部１５０は、検出した画像の移動操作が、スライド用画像３１０の操作によるものであるかどうかを判定する（ステップＳ２０５）。検出した画像の移動操作が、スライド用画像３１０の操作によるものでない場合（ステップＳ２０５：Ｎｏ）、画像がどこに移動されたかにかかわらず、ユーザ認証を失敗であると判定し（ステップＳ２０６）、再度、認証画面を表示する（ステップＳ２０３）。なお、認証失敗と判定するのは、いずれかの画像が移動され、移動操作が終了／解消した際であってよく、その際に、認証失敗として、操作を受け付けないモード（ロックモード）に移行する。
【００２９】
図３は、スライド用画像３１０が正しく選択されて移動された例を示し、図４は、認証用画像４１１が誤って選択されて移動された例を示し、図５は、ダミー画像５１３が誤って選択されて移動された例を示す。従って、図３の場合は、図２でステップＳ２０７に進むこととなり、図４、図５の場合は、図２でステップＳ２０６となり認証失敗と判定される。
【００３０】
さて、ステップＳ２０５で、ＹＥＳと判定された場合、制御部１２０は、移動操作の終了／解消の検出（移動が停止した、認証枠内に画像が移動された、移動後タッチ操作が解消されたなど）を行う。
【００３１】
すると、画像操作判定部１５１は、移動操作の終了／解消が検出された際に、認証用画像が認証枠内に位置する（存在する）か否か判定する（ステップＳ２０８）。なお、制御部１２０が、画面上に認証開始ボタン等を表示させることとし、ユーザによる認証開始ボタンの押下がなされたことの検出に応じて判定を行っても良い。
【００３２】
認証用画像以外の画像（ダミー画像、スライド用画像）が、認証枠内に移動された場合（ステップＳ２０８：Ｎｏ）は、認証用画像位置判定部１５２は、認証失敗と判定（ステップＳ２０９）し、認証用画面を再度表示する（ステップＳ２０３）、または、ロックモードに移行される。
【００３３】
なお、最終的に、移動操作の終了／解消の際に認証用画像が、認証枠３１２内に移動された場合であっても、ステップＳ２０５において、スライド用画像以外に対して移動操作が検出されていた場合は、認証失敗とされる（ステップＳ２０６）。図４、図５は、スライド用画像とは異なる画像（認証用画像、ダミー画像）が移動され、最終的に認証用画像４１１、５１１が、認証枠４１２、５１２に移動された例をそれぞれ示し、これらの場合は、認証失敗として処理される。
【００３４】
したがって、図３に示したように、スライド用画像が正しく選択され、認証用画像が正しく認証枠に移動された場合（ステップＳ２０８：Ｙｅｓ）に、判定部１５０は認証成功と判定（ステップＳ２１０）し、情報処理端末の機能は有効化されることとなる。
【００３５】
これにより、背後から認証処理を盗み見た者が、認証用画像４１１を認証枠４１２に移動させることでユーザ認証が成功すると理解したとしても、認証用画像を操作して移動された場合は、ユーザ認証を失敗であると判定できる。
【００３６】
なお、スライド用画像の配置は、認証処理ごと、認証処理が失敗するごとに位置を変更することが好ましい。その際、他の認証用画像、ダミー画像の位置も変更してもよい。例えば、スライド用画像３１０、認証用画像３１１、ダミー画像、認証枠３１２の表示位置の変更、表示するダミー画像の種類の変更、表示する画像の位置、表示する数の変更等の処理であり、これらを独立に行っても良く、組み合わせて行っても良い。
【００３７】
また、背後からスライド用画像３１０と認証用画像３１１を盗み見されるのを防止するため、認証画面に対し、画面の移動操作を検出した際に、認証用画像、スライド用画像、ダミー画像をマスク（黒く塗りつぶす）等して読み取れないようにしても良く、スライド用画像３１０、認証用画像３１１、ダミー画像に含まれるいずれかの画像をマスクしても良い。
【００３８】
また、ユーザ認証の失敗を所定回数以上連続して検出した場合、又は、認証画面での操作時間が所定時間以上となるのを検出した場合には、操作を禁止しても良い。操作の禁止とは例えば、所定の時間認証画面を表示しないような処理をしても良く、予め設定されたパスワードの入力により、再度、認証画面を表示しても良い。
【００３９】
また、スライド用画像と認証用画像として予め記憶された２つの画像の内、先に操作を検出した画像をスライド用画像、操作を検出しない方の画像を認証用画像として、上述の認証処理を行うとしても良い。
【００４０】
第１の実施形態に係る認証処理によれば、認証処理の方法を知っている者が認証処理に関する情報を盗み見しようとした場合でも、スライド用画像３１０と認証用画像３１１の２つの認証処理に関する情報を読み取る必要があり、単一画像のみの認証と比較すると、注視する必要のある箇所が増えるため、盗み見しにくくなる。
【００４１】
また、ユーザが認証とはまったく関係のないダミー画像を同時にタッチしながら認証を行うことで、更に、認証情報の読み取りが困難となる。
【００４２】
次に、第２の実施形態に係る認証処理について図面を参照して説明する。
【００４３】
第２の実施形態に係る認証処理を行う情報処理端末は、第１の実施形態と異なり、スライド用画像の記憶を行わない。また、認証枠を画面上に表示しない。認証枠の位置は、ユーザの選択に応じて設定した位置を記憶しておく。情報処理端末は、認証用画像以外の領域の操作を検出した場合に、予めユーザの選択に応じて設定した認証用画像の認証枠への移動を検出したかどうかの判定に基づき、認証処理を行う。この方法により、背後から認証処理を盗み見されたとしても、認証用画像と認証枠を確認することはできず、認証処理に関する認証情報の漏えいを防ぎ、セキュリティ強度を高くすることができる。
【００４４】
図６は、第２の実施形態に係る認証処理を行う情報処理端末の構成例を示す図である。
【００４５】
第２の実施形態に係る認証処理を行う情報処理端末は、第１の実施形態に係る認証装置同様、記憶部６１０、制御部６２０、表示部６３０、検出部６４０、判定部６５０を有する。
【００４６】
記憶部６１０は、ユーザの選択に応じて設定した認証用画像を記憶する認証用画像記憶部６１１と、ダミー画像を記憶するダミー画像記憶部６１２と、ユーザの選択に応じて設定した認証枠の位置を記憶する認証枠位置記憶部６１３を有する。認証用画像は、第１の実施形態と同様に、認証処理を行う際、所定の領域（認証枠）に存在するかを判定するための画像である。ダミー画像は認証用画像と異なる画像である。認証枠は認証処理を行う際、認証用画像が所定の位置に存在するかどうかの判定をする際の所定の位置を示すものである。
【００４７】
制御部６２０は、記憶部６１０に記憶した認証用画像、ダミー画像を含んだ、画面に表示するオブジェクトの数を制御するオブジェクト表示数制御部６２１と、オブジェクトを表示する位置を制御するオブジェクト表示位置制御部６２２を有する。
【００４８】
表示部６３０は、制御部６２０のオブジェクト表示数制御部６２１で決定した画像オブジェクト表示数、オブジェクト表示位置制御部６２２で決定したオブジェクト表示位置に、認証用画像とダミー画像を表示する。
【００４９】
検出部６４０は、画像の操作を受け付けたかどうかを検出する画像操作検出部６４１と認証用画像の位置を検出する認証用画像位置検出部６４２を有する。
【００５０】
判定部６５０は、認証処理を行う際に、画像操作検出部６４１で操作を受け付けた画像がダミー画像であるかどうかを判定する画像操作判定部６５１と認証用画像が所定の位置に存在するかどうかを判定する認証用画像位置判定部６５２を有する。
【００５１】
次に、第２の実施形態における認証を行う際の処理の流れを図７、図８を参照して説明する。図７は、第２の実施形態における認証を行う際の処理フローの例を示す図である。図８は、第２の実施形態において、認証画面に表示されたダミー画像を操作し、認証が成功する際の表示例を示す図である。第２の実施形態では、認証処理の際に認証枠の位置を他の位置とは異なる態様で表示するなどといった、認証枠を示す強調表示を行わないものとするが、認証枠を表示することもできる。なお、ダミー画像、認証用画像のいずれかの移動操作に応じて他の画像の位置が移動するものとする。移動ルールは種々採用可能であるが、移動先が予測可能なように、規則性をもった移動が望ましい。例えば、図８のような画面に対して、移動操作が行われ、画像が消失した際には、画面の中心に対し、画像が消失する際の移動方向上の対極位置に存在する枠に消失した画像を表示しても良い。  
【００５２】
まず、準備処理について説明する。初期設定従う場合は、省略することもできるが、ステップＳ７０１、７０２は準備処理のステップを示す。
【００５３】
制御部６２０は、ユーザの操作入力に応じて設定／選択された認証用画像８１１を認証用画像記憶部６１１に記憶（ステップＳ７０１）し、ユーザの操作入力に応じて設定／選択された認証枠８１２の位置を認証枠位置記憶部６１３に記憶（ステップＳ７０２）する。
【００５４】
表示部６３０は、図８に示すように、認証用画像記憶部６１１に記憶された認証用画像８１１、ダミー画像記憶部６１２に記憶されたダミー画像（図８において、認証用画像８１１以外の各画像がダミー画像に対応する）を制御部６２０のオブジェクト表示数制御部６２１で決定したオブジェクト表示数とオブジェクト表示位置制御部６２２で決定したオブジェクト表示位置に応じて認証画面として表示する（ステップＳ７０３）。図８では、認証枠８１２を点線で表示しているが、実際の表示は、他のダミー画像と同様の輪郭を有し、認証枠がどこに設定されているか外観からは分からないように画面表示がなされる。なお、オブジェクト表示数、オブジェクト表示位置などの設定は、初期設定で行われてもよいし、ユーザによる入力操作に応じて設定が行われてもよい。
【００５５】
さて、画像操作判定部６５１は、画像操作検出部６４１で検出した画像の移動操作が、認証用画像８１１以外の画像に対するものであるかどうかを判定する（ステップＳ７０４）。画像の移動操作が認証用画像８１１に対するものである場合（ステップＳ７０４：Ｎｏ）には、画像操作判定部６５１は、ユーザ認証が失敗であると判定する（ステップＳ７０５）。なお、制御部６２０は、判定後も、移動操作を受け付け、移動操作の終了／解除後（更にはそれから所定時間経過後）、認証開始指示後に認証失敗に応じた処理を実行する。例えば、ステップＳ７０３に戻り、ダミー画像の入れかえ、画像の配置位置を変更した認証画面を再度表示する。図８（ｂ）は、認証用画像８１１に対する移動操作がなされる例を示しており、認証用画像対する移動操作が検出された段階で認証は成功しないこととなるが、図８（ｃ）のように、認証用画像８１１が認証枠８１２（明示的な表示なし）に移動されることを許容する。
【００５６】
画像の移動操作が認証用画像８１１以外の画像に対する領域によるものである場合（ステップＳ７０４：Ｙｅｓ）には、画像操作検出部６４１で移動操作の終了を検出（ステップＳ７０６）した後、認証用画像８１１の位置の検出を認証用画像位置検出部６４２で行い、認証用画像８１１が認証枠８１２内に存在するかどうかの判定を認証用画像位置判定部６５２で行う（ステップＳ７０７）。
【００５７】
認証用画像８１１が認証枠８１２内に存在しない場合（ステップＳ７０７：Ｎｏ）には、情報処理端末はユーザ認証が失敗であると判定する（ステップＳ７０８）。認証用画像８１１が認証枠８１２内に存在する場合（ステップＳ７０７：Ｙｅｓ）には、認証用画像８１１が認証枠８１２内に所定時間存在するかどうかの判定を認証用画像位置判定部６５２で行う（ステップＳ７０９）。認証用画像８１１が認証枠８１２内に所定時間存在する場合（ステップＳ７０９：Ｙｅｓ）には、ユーザ認証は成功であると判定し（ステップＳ７１０）、認証用画像８１１が認証枠８１２内に所定時間存在しない場合（ステップＳ７０９：Ｎｏ）は、ユーザ認証は失敗であると判定する（ステップＳ７１１）。ただし、図８（ｂ）で示したように、認証用画像自体の移動操作により、認証用画像が図８（ｃ）のような状態となったとしても、先の判定による認証失敗が有効となり、認証は成功とはならない。情報処理端末は、ユーザ認証が失敗であると判定した後、例えば、ステップＳ７０３に戻り、ダミー画像の入れかえ、画像の配置位置を変更した認証画面を再度表示しても良い。
【００５８】
認証用画像８１１が認証枠８１２内にあるかどうかの判定（ステップＳ７０７）は、上述した処理で判定するのではなく、画面上に認証開始ボタン等を表示し、ユーザが認証開始ボタンを押下したら判定を行ってもよい。
【００５９】
第１の実施形態、第２の実施形態は、タッチパネルを備えた情報処理端末を例に説明したが、マウスを利用した認証処理操作が行われるＰＣ（Personal Computer）など他の情報処理端末を用いることもできる。
【００６０】
また、上述の実施形態では画像で説明を行ったが、数字や文字等を含む画像を利用して認証を行っても良い。
【００６１】
また、第１の実施形態、第２の実施形態は組み合わせることも可能であり、第２の実施形態において、認証枠は画面上に表示せず、スライド用画像のみ設定しても良い。
【００６２】
本実施形態は認証装置における認証方法として説明したが、認証装置自体に全ての機能部を含める必要はなく、例えば、記憶部、制御部、判定部の中の１または複数の機能をサーバ装置に備えても良く、すべての処理を端末自身で行う情報処理端末に限定されない。
【符号の説明】
【００６３】
１１０、６１０  記憶部
１１１  スライド用画像記憶部
１１２、６１１  認証用画像記憶部
１１３、６１２  ダミー画像記憶部
１２０、６２０  制御部
１２１、６２１  オブジェクト表示数制御部
１２２、６２２  オブジェクト表示位置制御部
１２３  認証枠表示位置制御部
１３０、６３０  表示部
１４０、６４０  検出部
１４１、６４１  画像操作検出部
１４２、６４２  認証用画像位置検出部
１５０、６５０  判定部
１５１、６５１  画像操作判定部
１５２、６５２  認証用画像位置判定部
３１０、４１０、５１０  スライド用画像
３１１、４１１、５１１、８１１  認証用画像
３１２、４１２、５１２、８１２  認証枠
５１３  ダミー画像
６１３  認証枠位置記憶部
【図１】
0006699321.tif 000002
【図２】
0006699321.tif 000003
【図３】
0006699321.tif 000004
【図４】
0006699321.tif 000005
【図５】
0006699321.tif 000006
【図６】
0006699321.tif 000007
【図７】
0006699321.tif 000008
【図８】
0006699321.tif 000009